(57)【要約】【課題】締結部品を用いずガタも発生しない車両用空調装置の電気部品固定構造を提供する。【解決手段】電気部品１に係止突起２もしくは係止孔４ａを設けると共に、係止突起２もしくは係止孔４ａと係合する係止孔４ａもしくは係止突起２を持つたわみ突部４と、係止した電気部品１を外方に押圧するばね部５とを樹脂ケース３に一体で設けた。これにより、締結部品を用いずに電気部品１を樹脂ケース３にワンタッチで固定することができるうえ、係合させる際に圧縮したばね部５の反力で、常に電気部品１は樹脂ケース３の外方に押圧されておりガタが発生しない。よってガタによる異音・破損防止のパッキンも不要となることより、コストを低く抑えることができる。【選択図】　　　　図１
2004095990.tif 000002
【特許請求の範囲】
【請求項１】
樹脂ケース（３）の外面に電気部品（１）を取り付ける際の固定構造であり、
前記電気部品（１）に係止突起（２）もしくは係止孔（４ａ）を設けると共に、前記係止突起（２）もしくは前記係止孔（４ａ）と係合する係止孔（４ａ）もしくは係止突起（２）を持つたわみ突部（４）と、係止した前記電気部品（１）を外方に押圧するばね部（５）とを前記樹脂ケース（３）に一体で設けたことを特徴とする車両用空調装置の電気部品固定構造。
【請求項２】
樹脂ケース（３）の外面に電気部品（１）を取り付ける際の固定構造であり、
係止突起（２）もしくは係止孔（４ａ）と、係止した前記電気部品（１）を前記樹脂ケース（３）の外方に押圧するばね部（５）とを前記電気部品（１）に一体で設けると共に、前記樹脂ケース（３）に前記係止突起（２）もしくは前記係止孔（４ａ）と係合する係止孔（４ａ）もしくは係止突起（２）を持つたわみ突部（４）を設けたことを特徴とする車両用空調装置の電気部品固定構造。
【請求項３】
前記電気部品（１）は、空調装置制御用のエアコンアンプ（１）であることを特徴とする請求項１または請求項２に記載の車両用空調装置の電気部品固定構造。
【発明の詳細な説明】
【０００１】
【発明の属する技術分野】
本発明は、車両用空調装置での電気部品の固定構造に関し、特にエアコンアンプ等の基板部品を樹脂ケースに収めたような電気部品を空調ケースの外面に固定するのに好適である。
【０００２】
【従来の技術】
図３は、従来の電気部品の固定構造を示す斜視図である。図の１は、例えばエアコンアンプ等の基板部品を樹脂ケースに収めたような電気部品であり、例えば空調ユニットの樹脂ケース３の外面に、ビス８で締め付け固定されている。６は締め付け孔部であり、７は締め付けボス部である。
【０００３】
また、図示しないが本発明と同様に、例えば一方の電気部品に係止突起を設け、他方の樹脂ケースにその係止突起と係合する係止孔を持ったたわみ突部を設けて係合させる方法もある。図３の９は、電気部品１がガタついて異音が発生したり、部品が破損したりするのを防止するためのパッキン（ウレタン発泡品）であり、ケース３もしくは電気部品１に貼って用いている。
【０００４】
【発明が解決しようとする課題】
しかし、上記従来の固定構造において、前者のビス締め方法ではビスという締結部品が必要であり、それらの締め付けで工数も掛かるためコストが高くなってしまう。また、後者の係合方法ではビス締めをなくすことができるが、係合部でのガタによる異音や部品の破損が問題となり、そのガタを両部品の成形型のチューニングで抑えるのも難しいことから上記のパッキンが必要となり、その部品費や貼り付け工数が掛かり、結果コストを安く抑えられないという問題点がある。
【０００５】
本発明は、上記従来の問題に鑑みて成されたものであり、その目的は、締結部品を用いずガタも発生しない車両用空調装置の電気部品固定構造を提供することにある。
【０００６】
【課題を解決するための手段】
上記目的を達成するため、本発明では以下の技術的手段を採用する。請求項１記載の発明では、樹脂ケース（３）の外面に電気部品（１）を取り付ける際の固定構造であり、電気部品（１）に係止突起（２）もしくは係止孔（４ａ）を設けると共に、係止突起（２）もしくは係止孔（４ａ）と係合する係止孔（４ａ）もしくは係止突起（２）を持つたわみ突部（４）と、係止した電気部品（１）を外方に押圧するばね部（５）とを樹脂ケース（３）に一体で設けたことを特徴とする。
【０００７】
これにより、締結部品を用いずに電気部品（１）を樹脂ケース（３）にワンタッチで固定することができるうえ、係合させる際に圧縮したばね部（５）の反力で、常に電気部品（１）は樹脂ケース（３）の外方に押圧されておりガタが発生しない。よってガタによる異音・破損防止のパッキンも不要となることより、コストを低く抑えることができる。
【０００８】
また、電気部品（１）が樹脂ケース（３）面から離間した状態となるためケースからの熱伝導による不具合、例えばクーラケースであれば冷却による霜付き、ヒータケースであれば加熱による昇温等を防ぐことができる。
【０００９】
請求項２記載の発明では、樹脂ケース（３）の外面に電気部品（１）を取り付ける際の固定構造であり、係止突起（２）もしくは係止孔（４ａ）と、係止した電気部品（１）を樹脂ケース（３）の外方に押圧するばね部（５）とを電気部品（１）に一体で設けると共に、樹脂ケース（３）に係止突起（２）もしくは係止孔（４ａ）と係合する係止孔（４ａ）もしくは係止突起（２）を持つたわみ突部（４）を設けたことを特徴とする。
【００１０】
これによっても請求項１と同様、締結部品を用いずに電気部品（１）を樹脂ケース（３）にワンタッチで固定することができるうえ、係合させる際に圧縮したばね部（５）の反力で、常に電気部品（１）は樹脂ケース（３）の外方に押圧されておりガタが発生しない。よってガタによる異音・破損防止のパッキンも不要となることより、コストを低く抑えることができる。
【００１１】
また、電気部品（１）が樹脂ケース（３）面から離間した状態となるためケースからの熱伝導による不具合、例えばクーラケースであれば冷却による霜付き、ヒータケースであれば加熱による昇温等を防ぐことができる。
【００１２】
請求項３記載の発明では、電気部品（１）は、空調装置制御用のエアコンアンプ（１）であることを特徴とする。これは、エアコンアンプのように基板部品を樹脂ケースに収めたような部品等で、特に電気接続だけで機械的な接続を必要としない電気部品を空調ケースの外面に固定するのに好適であることによる。ちなみに、上記各手段の括弧内の符号は、後述する実施形態に記載の具体的手段との対応関係を示す一例である。
【００１３】
【発明の実施の形態】
（第１実施形態）
以下、本発明の実施形態を、図面に基づき説明する。図１は、本発明の第１実施形態における電気部品の固定構造を示す斜視図である。図の１は、例えばエアコンアンプ等の基板部品を樹脂ケースに収めたような電気部品であり、例えばクーラ・ヒータ・ブロワ等の空調ユニットにおいて空調（樹脂）ケース３の外面に、係合固定されている。
【００１４】
空調ケース３はポリプロピレンのような、ある程度弾性を有し、強度的にも優れた樹脂の成形品からなる。また、これらの係合構造として、電気部品１の外面には係止するための突起である係止突起２を設けている（図１では両側面に２箇所）。また、樹脂ケース３側には、その係止突起２と係合する係止孔４ａを持ったたわみ突部４（係止突起２に対応して２ヶ所）と、係止した後の電気部品１を外方に押圧するばね部５とを一体で設けている。
【００１５】
そして固定方法としては、樹脂ケース３の外方から電気部品１をたわみ突部４の間にばね部５を圧縮させながら圧入する。これにより、たわみ突部４が一旦両外側にたわんだ後、係止突起２が係止孔４ａの中に嵌り込むことによって係合が成される。
【００１６】
次に、本実施形態の特徴を述べる。電気部品１に係止突起２もしくは係止孔４ａを設けると共に、係止突起２もしくは係止孔４ａと係合する係止孔４ａもしくは係止突起２を持つたわみ突部４と、係止した電気部品１を外方に押圧するばね部５とを樹脂ケース３に一体で設けている。
【００１７】
これにより、締結部品を用いずに電気部品１を樹脂ケース３にワンタッチで固定することができるうえ、係合させる際に圧縮したばね部５の反力で、常に電気部品１は樹脂ケース３の外方に押圧されておりガタが発生しない。よってガタによる異音・破損防止のパッキンも不要となることより、コストを低く抑えることができる。
【００１８】
また、電気部品１が樹脂ケース３面から離間した状態となるためケースからの熱伝導による不具合、例えばクーラケースであれば冷却による霜付き、ヒータケースであれば加熱による昇温等を防ぐことができる。本固定構造は、エアコンアンプのように基板部品を樹脂ケースに収めたような部品等で、特に電気接続だけで機械的な接続を必要としない電気部品１を空調ケース３の外面に固定するのに好適である。
【００１９】
（第２実施形態）
図２は、本発明の第２実施形態における電気部品１の固定構造を示す斜視図である。係合構造は上述した第１実施形態と同様で、ばね部５を空調ケース３側ではなく電気部品１側に一体で設けている点のみ第１実施形態と異なる。
【００２０】
これによっても第１実施形態と同様、締結部品を用いずに電気部品１を樹脂ケース３にワンタッチで固定することができるうえ、係合させる際に圧縮したばね部５の反力で、常に電気部品１は樹脂ケース３の外方に押圧されておりガタが発生しない。よってガタによる異音・破損防止のパッキンも不要となることより、コストを低く抑えることができる。
【００２１】
また、電気部品１が樹脂ケース３面から離間した状態となるためケースからの熱伝導による不具合、例えばクーラケースであれば冷却による霜付き、ヒータケースであれば加熱による昇温等を防ぐことができる。本固定構造は、エアコンアンプのように基板部品を樹脂ケースに収めたような部品等で、特に電気接続だけで機械的な接続を必要としない電気部品１を空調ケース３の外面に固定するのに好適である。
【００２２】
（その他の実施形態）
上述の実施形態では、電気部品１に係止突起２を設け、その係止突起２と係合する係止孔４ａを樹脂ケース３のたわみ突部４に設けているが、逆に樹脂ケース３のたわみ突部４に係止突起２を設け、その係止突起２と係合する係止孔４ａを電気部品１に設けた係合関係であっても良い。また、ばね部５は、上述の実施形態で示した形状に限るものではなく、電気部品１での押圧により反力を生じる形状であれば良い。また、ばね部５は、複数ヶ所に設けても良い。
【図面の簡単な説明】
【図１】本発明の第１実施形態における電気部品の固定構造を示す斜視図である。
【図２】本発明の第２実施形態における電気部品の固定構造を示す斜視図である。
【図３】従来の電気部品の固定構造を示す斜視図である。
【符号の説明】
１　エアコンアンプ（電気部品）
２　係止突起
３　空調ケース（樹脂ケース）
４　たわみ突部
４ａ　係止孔
５　ばね部
【図１】
2004095990.tif 000003
【図２】
2004095990.tif 000004
【図３】
2004095990.tif 000005